(57)【要約】【課題】  犯人と一対一の状況でも、犯人を容易に捕捉してその動きを止めることができ、また操作性にも優れているようにする。【解決手段】  軸状柄部２の先端部に設けられた略板状ベース部８に、捕捉左半部３Ａおよび導入左半部４Ａを有する左側部材６と捕捉右半部３Ｂおよび導入右半部４Ｂを有する右側部材７とが引張コイルバネ５を介して左右に開離可能に設けられ、略板状ベース部８に設けられたストッパー１３等を有するロック手段により、犯人の捕捉後に捕捉左半部３Ａと捕捉右半部３Ｂとの閉止状態が維持されるようになされている。【選択図】  図１
2005326105.tif 000002
【特許請求の範囲】
【請求項１】
軸状の柄部と該柄部の先端に設けられたリング状の捕捉部と該捕捉部の先端部分から前方に設けられた略Ｖ字形の導入部とを備えた刺股であって、捕捉部および導入部は、基部同士がバネを介して互いに接近方向に付勢される左右一対の部材によって、それらの先端側から左右方向に分割して開離可能となされ、左側部材は右側に開口した湾曲状の捕捉左半部と該捕捉左半部の先端部分から左斜め前方向に伸びる導入左半部とを有し、右側部材は左側に開口した湾曲状の捕捉右半部と該捕捉右半部の先端部分から右斜め前方向に伸びる導入右半部とを有しており、捕捉左半部と捕捉右半部の基部同士は該部に設けられたロック手段により閉止されるようになされている、刺股。
【請求項２】
左右部材の基部が、柄部の先端に設けられた略板状ベース部の一面に回動自在に軸支されており、ロック手段が、略板状ベース部の他面に設けられ、第一バネにより略板状ベースの一面側へ付勢される左右一対のロックピンと、捕捉部が閉止した状態で略板状ベース部における左右部材の基部外側に位置するように形成され、ロックピン先端部が貫通する透孔と、ロックピンをその先端部が透孔から外れる位置まで上昇させるロックピン上昇手段と、基端側部分が略板状ベース部の他面に回動可能に軸支され、先端側部分が第二バネにより前記ロックピン方向へ付勢される左右一対のストッパーと、ロックピンに一体に設けられ、ロックピンの上昇に伴って下側がストッパーの先端側部分と当接するストッパー係合用部と、基端側部分が略板状ベース部の一面における左右部材の基部に一体に設けられ、先端側部分が略板状ベース部の他面側へ突出して前記ロックピン上昇時に前記ストッパーと係合し、捕捉部の開離に伴ってストッパーを、ロックピンのストッパー係合用部から外れる位置まで回動させる左右一対のストッパー制御用部とを有する、請求項１記載の刺股。
【請求項３】
ロックピン上昇手段が、両ロックピンの上部に連結された横杆と該横杆の中央から下方に伸びる縦杆とからなるＴ字状部材と、先端部が前記Ｔ字状部材の縦杆下端と当接して該Ｔ字状部材を押し上げるレバーとを備えており、レバー操作によりＴ字状部材を介して両ロックピンが上昇するようになされている、請求項１または請求項２記載の刺股。
【請求項４】
略板状ベースの他面に該部から上方に伸びる二つの垂直壁と両垂直壁の上端部間に形成された水平壁とからなる略コ字形部材が設けられ、略コ字形部材の水平壁にロックピンの上部が貫通状に支持され、第一バネが圧縮コイルバネであって、ロックピンのストッパー係合用部と略コ字形部材の水平壁間に装着されている、請求項１〜請求項３のうちのいずれか一項記載の刺股。
【請求項５】
略板状ベース部の他面におけるロックピンの上方にロックピン作動確認用板が設けられ、該確認用板には、ロックピンの上昇時にその上端が挿通される確認用孔が形成されている、請求項１〜請求項４のうちのいずれか一項記載の刺股。
【請求項６】
柄部に警報手段が設けられている、請求項１〜請求項５のうちのいずれか一項記載の刺股。
【請求項７】
柄部に夜光手段が設けられている、請求項１〜請求項６のうちのいずれか一項記載の刺股。
【請求項８】
柄部が、互いに連結自在な複数の筒状部材からなる請求項１〜請求項７のうちのいずれか一項記載の刺股。
【発明の詳細な説明】
【技術分野】
【０００１】
本発明は、泥棒や暴漢等を取り押さえるのに用いる刺股に関する。
【背景技術】
【０００２】
近年、夜間や早朝に家人が寝ている民家等に進入して金銭や貴金属類を強奪する強盗被害が増えている。また、小学校では、構内に暴漢が進入して児童を殺傷する事件が発生している。
【０００３】
強盗や暴漢への対策としては、警備会社と連携し、事件が発生した場合に、警備会社から警備員が急行して犯人を捕り押さえるシステムが開発されている。しかしながら、被害者が警備会社に通報してから警備員が事件発生現場に到着するのに、ある程度の時間がかかるため、被害者はその間、犯人に対処することを余儀なくされ、そのため被害者が犯人から危害を加えられたり、犯人が金銭等を強奪して逃走してしまったりする場合もある。
【０００４】
また、小学校では、不審者の構内への侵入を防止するため、児童の登下校時以外は学校の門を閉じる対策が講じられているが、学校には教育関係者や種々の業者が出入りする関係で児童の登下校時以外の時間帯に門を常時閉じておくことは実際上難しい。そこで、校内に監視カメラを設置して不審者を発見するようにすることも考えられているが、学校では監視カメラを常時見ている者がおらず、また不審者は広い校内のどこから進入して来るかも分からないため、監視カメラで不審者の侵入を完全に把握することは困難である。そのため、不審者が校内に進入した場合に、その不審者をいち早く取り押さえることが重要となる。
【０００５】
従来から犯人を取り押さえる道具として刺股が知られている。この刺股の形状は、図  に示すように、柄の先端部に二股部が設けられ、この二股部で犯人の胴体を挟むものであるが、二股部における柄部と反対側が開放しているため、犯人を取り押さえるためには、犯人を転倒させて床に横たわらせ、床面と刺股の二股部とで犯人の胴体を挟み込むか、或いは犯人を壁に押し付けて壁面と二股部とで犯人の胴体を挟み込む必要がある。
【特許文献１】特開２００４−２８５６０号公報
【発明の開示】
【発明が解決しようとする課題】
【０００６】
しかし、前記従来の刺股で前述したように犯人を取り押さえるには、犯人一人に対して実際上、複数の者が必要となることから、犯人と一対一の場合には、犯人を取り押さえることができず、また学校で授業中や給食時に暴漢が教室に侵入してきた場合、通常、先ず担任の先生が一人で暴漢に立ち向かう必要があるため、最も重要な教室進入時に暴漢の動きを十分に制止することが困難となってしまう。
【０００７】
本発明の目的は、犯人に対して一人で立ち向かう場合でも、容易に犯人の動きを制止させ、取り押さえることが可能な刺股を提供することにある。
【課題を解決するための手段】
【０００８】
請求項１記載の本発明は、軸状の柄部と該柄部の先端に設けられたリング状の捕捉部と該捕捉部の先端部分から前方に設けられた略Ｖ字形の導入部とを備えた刺股であって、捕捉部および導入部は、基部同士がバネを介して互いに接近方向に付勢される左右一対の部材によって、それらの先端側から左右方向に分割して開離可能となされ、左側部材は右側に開口した湾曲状の捕捉左半部と該捕捉左半部の先端部分から左斜め前方向に伸びる導入左半部とを有し、右側部材は左側に開口した湾曲状の捕捉右半部と該捕捉右半部の先端部分から右斜め前方向に伸びる導入右半部とを有しており、捕捉左半部と捕捉右半部の基部同士は該部に設けられたロック手段により閉止されるようになされているものである。
【０００９】
請求項２記載の刺股は、前記請求項１記載の刺股について、左右部材の基部が、柄部の先端に設けられた略板状ベース部の一面に回動自在に軸支されており、ロック手段が、略板状ベース部の他面に設けられ、第一バネにより略板状ベースの一面側へ付勢される左右一対のロックピンと、捕捉部が閉止した状態で略板状ベース部における左右部材の基部外側に位置するように形成され、ロックピン先端部が貫通する透孔と、ロックピンをその先端部が透孔から外れる位置まで上昇させるロックピン上昇手段と、基端側部分が略板状ベース部の他面に回動可能に軸支され、先端側部分が第二バネにより前記ロックピン方向へ付勢される左右一対のストッパーと、ロックピンに一体に設けられ、ロックピンの上昇に伴って下側がストッパーの先端側部分と当接するストッパー係合用部と、基端側部分が略板状ベース部の一面における左右部材の基部に一体に設けられ、先端側部分が略板状ベース部の他面側へ突出して前記ロックピン上昇時に前記ストッパーと係合し、捕捉部の開離に伴ってストッパーを、ロックピンのストッパー係合用部から外れる位置まで回動させる左右一対のストッパー制御用部とを備えたことを特徴とするものである。
【００１０】
請求項３記載の本発明は、前記請求項１または請求項２記載の刺股について、ロックピン上昇手段が、両ロックピンの上部に連結された横杆と該横杆の中央から下方に伸びる縦杆とからなるＴ字状部材と、先端部が前記Ｔ字状部材の縦杆下端と当接して該Ｔ字状部材を押し上げるレバーとを備えており、レバー操作によりＴ字状部材を介して両ロックピンが上昇するようになされていることを特徴とするものである。
【００１１】
請求項４記載の本発明は、前記請求項１〜請求項３のうちのいずれか一項記載の刺股について、略板状ベースの他面に該部から上方に伸びる二つの垂直壁と両垂直壁の上端部間に形成された水平壁とからなる略コ字形部材が設けられ、略コ字形部材の水平壁にロックピンの上部が貫通状に支持され、第一バネがロックピンの外周面におけるストッパー係合用部と略コ字形部材の水平壁間に装着されていることを特徴とするものである。
【００１２】
請求項５記載の本発明は、前記請求項１〜請求項４のうちのいずれか一項記載の刺股について、略板状ベース部の他面におけるロックピンの上方にロックピン作動確認用板が設けられ、該確認用板には、ロックピンの上昇時にその上端が挿通される確認用孔が形成されていることを特徴とするものである。
【００１３】
請求項６記載の本発明は、前記請求項１〜請求項５のうちのいずれか一項記載の刺股について、柄部に警報手段が設けられたものである。
【００１４】
請求項７記載の本発明は、前記請求項１〜請求項６のうちのいずれか一項記載の刺股について、柄部に夜光手段が設けられたものである。
【００１５】
請求項８記載の本発明は、前記請求項１〜請求項７のうちのいずれか一項記載の刺股について、柄部が互いに連結自在な複数の筒状部材からなることを特徴するものである。
【００１６】
なお、本発明の刺股は、重量や強度を考慮して、鉄や硬質アルミニウム合金等、種々の金属等が適宜使用される。
【発明の効果】
【００１７】
本発明に係る刺股は、リング状の捕捉部を有し、且つ該捕捉部の基部にはロック手段が設けられているため、該捕捉部内に犯人の胴体が入った場合、ロック手段を介して当該捕捉状態が維持されるため、従来の刺股のように、犯人を床に倒したり、壁に押し付けたりしなくても、犯人の動きを確実に止めることができる。従って、本発明の刺股によれば、従来の刺股のように、犯人一人に対して複数人でなく、犯人と一対一の状況でも犯人を捕捉することが可能となる。
【００１８】
また、ロック手段が当該刺股の重心位置となる捕捉部の基部に設けられているため、操作し易く、犯人を容易に捕捉することができる。
【００１９】
請求項２記載の刺股によれば、ロックピン上昇手段によりロックピンを上昇させた状態では、左右部材が開離可能であるため、導入部で犯人の胴体を挟むだけで捕捉部が開いて該捕捉部内に犯人の胴体を入れることができる。そして、その後、捕捉部が再び閉じるのに伴って、ロックピンが自動的に略板状ベースの透孔に挿通されて、捕捉部が閉止状態となるため、犯人が捕捉部を手で開けようとしても開けることができず、犯人の捕捉状態が維持される。
【００２０】
また、請求項３記載の刺股によれば、レバー操作によりロックピンが上昇するため、使用者は僅かな力でロックピンによる捕捉部の閉止状態を解除することができる。
【００２１】
請求項５記載の刺股によれば、ロックピンが上昇して捕捉部が開離する状態のときには、ロックピンの上端がロックピン作動確認用板の確認用孔から突出し、ロックピンが下降して捕捉部が開かない状態では、ロックピンの上端がロックピン作動確認用板の確認用孔から突出しないため、ロックピン作動確認用板の確認用孔におけるロックピン上端の突出の有無によって、ロックピンの作動状態を容易に確認することができる。
【００２２】
この他、柄部に警報手段を設けた請求項６記載の刺股によれば、例えば小学校の授業中に暴漢が教室に乱入して来た場合でも、教師が先ず警報手段を作動させることで警報が鳴り、この音によって暴漢を威嚇すると共に、付近の教室等に対して警報により、事件の発生とその位置を迅速に知らせることとなる。そのため、周囲の教室等では、警報が鳴っている方向と逆の方向に生徒を非難させれば良いため、付近の教室等では、生徒が非難すべき方向を的確に把握されるという利点がある。
【００２３】
更に、柄部に夜光手段が設けられた請求項７記載の本発明によれば、夜光手段により、夜間の暗闇の中でも当該刺股を容易に発見することができる。
【００２４】
この他、請求項８記載の刺股は、柄部が互いに連結自在な複数の筒状部材からなるため、当該刺股の運搬時や不使用時には、柄部の筒状部材を分離してそれらを集束することができるため、保管スペースが少なくて済む。
【発明を実施するための最良の形態】
【００２５】
次に、本発明の実施形態を述べるが、本発明は係る実施形態に限定されるものではなく、その要旨の範囲内で種々の変形実施が可能である。
【００２６】
なお、本明細書において、前後、左右および上下は、図１を基準とし、前とは図１の上方向を指し、後とは同下方向を指すものとする。また、左右とは図１の左右を意味し、上とは図１の図面紙葉の表側方向を指し、下とは同裏側方向を指すものとする。
【００２７】
図１および図２に示すように、本実施形態における刺股１は、軸状の柄部２と該柄部２の先端に設けられたリング状の捕捉部３と該捕捉部３の先端部分から前方に設けられた略Ｖ字形の導入部４とを備え、捕捉部３および導入部４は、基部同士が引張コイルバネ５を介して互いに接近方向に付勢される左右一対の部材６・７によって、それらの先端側から左右方向に分割して開離可能となされ、左側部材６は右側に開口した湾曲状の捕捉左半部３Ａと該捕捉左半部３Ａの先端部分から左斜め前方向に伸びる導入左半部４Ａとを有し、右側部材７は左側に開口した湾曲状の捕捉右半部３Ｂと該捕捉右半部３Ｂの先端部分から右斜め前方向に伸びる導入右半部４Ｂとを有しており、捕捉左半部３Ａと捕捉右半部３Ｂの先端部同士は後述するロック手段により閉止されるようになされている。また、前記左右部材６・７の基部は、柄部２の先端に設けられた平面からみて略逆台形の板状ベース部８の一面８ａに回動自在に軸支されている。
【００２８】
図３〜図６に示すように、ロック手段は、板状ベース部８の他面８ｂに設けられ、圧縮コイルバネである第一バネ９により略板状ベース８の一面８ａ側へ付勢される左右一対のロックピン１１と、捕捉部３が閉止した状態で板状ベース部８における左右部材６・７の基部外側に位置するように形成され、ロックピン先端部が貫通する透孔１２と、ロックピン１１をその先端部が透孔１２から外れる位置まで上昇させる後述のロックピン上昇手段と、基端側部分１３ａが板状ベース部８の他面８ｂに回動可能に軸支１０され、先端側部分１３ｂが引張コイルバネである第二バネ１４により前記ロックピン１１方向へ付勢される左右一対のストッパー１３と、ロックピン１１の外周に一体に設けられ、ロックピン１１の上昇に伴って下側がストッパー１３の先端側部分１３ｂと当接する板状のストッパー係合用部１５と、基端側部分１６ａが板状ベース部８の一面８ａにおける左右部材６・７の基部に一体に設けられ、先端側部分１６ｂが板状ベース部８の他面８ｂ側へ突出して前記ロックピン１１の上昇時に前記ストッパー１３と係合し、捕捉部３Ａ・３Ｂの開離に伴ってストッパー１３を、ロックピン１１のストッパー係合用部１５から外れる位置まで回動させる左右一対のストッパー制御用部１６とを備えている。
【００２９】
図５に示すように、前記ロックピン上昇手段は、両ロックピン１１の上部に連結された横杆１７ａと該横杆１７ａの中央から下方に伸びる縦杆１７ｂとからなるＴ字状部材１７と、先端部１８ａが前記Ｔ字状部材１７の縦杆１７ｂ下端と当接して該Ｔ字状部材１７を押し上げるレバー１８とを備えている。
【００３０】
前記レバー１８は、横方向に伸びる把持部１８ｂと、把持部１８ｂの先端部分から斜め前方向に傾斜し、ビス１９により柄部２上に軸支された軸支部１８ｃと、軸支部１８ｃから前方に伸びる前記先端部１８ａとを有し、把持部１８ｂの先端部下側には突起１８ｄが設けられ、突起１８ｄと柄部２上に設けられた突起２１間にレバー用圧縮コイルバネ２２が装着されている。また、前記Ｔ字状部材１７の横杆１７ａ両端には、リング状部１７ｃが設けられており、該リング状部１７ｃはロックピン１１の上部に挿嵌され、更に、ロックピン上端におけるリング状部１７ｃの上側に止めナット２３が固定されている。
【００３１】
図５および図６に示すように、板状ベース８の他面８ｂには、該部から上方に伸びる二つの垂直壁２４と両垂直壁２４の上端部間に形成された水平壁２５とからなる略コ字形部材２６が設けられ、略コ字形部材２６の水平壁２５にロックピン１１の上部が貫通状に支持されている。また、前記垂直壁２４の下端には、屈曲部２７が形成され、該屈曲部２７にあけられた孔（図示略）からビス２８が挿入されて、該ビス２８が板状ベース８上に一体に固定された基台２９の雌ネジ（図示略）に螺合されている。
【００３２】
ストッパー１３は、基端部１３ａが直線状となされ、基端部１３ａから先端部１３ｂにわたって屈曲されている。そして、ストッパー１３の先端部１３ｂは、ロックピン１１の外周から斜め後方に突出した略方形板状のストッパー係合用部１５の先端部下側に進入可能となされている。
【００３３】
前記ストッパー制御用部１６は、略Ｊ字状となされ、ロックピン１１の上昇時において、ストッパー１３の先端側部１３ｂがストッパー係合用部１５の下側に位置するようにストッパー１３と係合するものである。
【００３４】
図１〜図７に示すように、柄部２は、板状ベース部８の下部に一体に溶接された第一筒状部材３３ａと、第一筒状部材３３ａに連結される第二筒状部材３３ｂと、第二筒状部材３３ｂに連結される第三筒状部材３３ｃとからなり、第一筒状部材３３ａおよび第二筒状部材３３ｂの基部寄り部分には、円形孔３０と、筒状部材３３ａ・３３ｂ内に収容されたバネ３４により前記円形孔３０から突出するボタン部材３５とが設けられている一方、第二筒状部材３３ｂおよび第三筒状部材３３ｃの先端部寄り部分には、前記ボタン部材３５が嵌め入れられる連結用透孔３６が形成されている。
【００３５】
また、第二筒状部材３３ｂの先端寄り部分には市販の夜光テープ３７が貼着され、第三筒状部材３３ｃには、市販の警報器３８が取り付けられている。
【００３６】
図４に示すように、本実施形態では、捕捉左半部３Ａと捕捉右半部３Ｂの基端部には、それぞれ正面からみて略滴形の板状部４４Ａ・４４Ｂが溶接で一体に設けられ、該板状部４４Ａ・４４Ｂおよび板状ベース部８には互いに連通するボルト穴（図示略）があけられ、該ボルト穴に止めビス４１が挿通されている。そして、透孔１２は、板状ベース部８における略滴形の板状部４４Ａ・４４Ｂの外側に位置するように形成されている。
【００３７】
また、板状ベース部８の上部両側寄り部分には側面からみて倒Ｌ字形のガイド部４３が設けられ、該ガイド部４３内に捕捉左半部３Ａと捕捉右半部３Ｂの基部寄り部分が嵌め入れられている。
【００３８】
この他、図６、図８および図９に示すように、前記刺股１には、前記ロックピン１１の作動状態を確認するためのロックピン作動確認用板４６を追加するのが好ましい。
【００３９】
すなわち、板状ベース部８の他面８ｂ側における前縁寄り部分の中央および後縁寄り部分の両側にそれぞれ支持部材４５が立設され、これら支持部材４５によってロックピン作動確認用板４６が水平に支持されている。ロックピン作動確認用板４６は、板状ベース部８に対応する平面から見て略逆台形状となされ、中央から後縁にかけてレバー１８の把持部１８ｂが入る切欠き５１が形成されている。そして、ロックピン作動確認用板４６におけるロックピン１１の上端に対応する位置には、ロックピン１１の上昇時にその上端が挿通される確認用孔４７が形成されている。
【００４０】
従って、ロックピン１１が上昇している状態では、その上端がロックピン作動確認用板４６の確認用孔４７から上方に突出しているため、当該刺股１の使用者は、捕捉部３および導入部４が左右方向に開離し得る状態（使用可能状態）にあることを容易に確認することができる。一方、ロックピン１１が下降している状態では、確認用孔４７からロックピン１１の上端が突出していないため、当該刺股１の使用者は、捕捉部３の閉止状態が維持されることを把握することができ、犯人の胴体が捕捉部３内に入ったときに捕捉部３が開離しないことを確認することができる。
【００４１】
次に、本実施形態に係る刺股の使用方法について述べると、図１〜図６に示すように、ロックピン１１が上昇し、そのストッパー係合用部１５の下側がストッパー１３の先端部１３ｂに当接した状態、すなわちストッパー１３が働いている状態では、ロックピン１１の先端部は略板状ベース８の透孔１２内に挿通していないため、左右部材６・７は左右方向に開離可能な状態となっている。従って、犯人の胴体を導入部４で挟むことにより、図１０〜図１４に示すように、該導入部４を構成する導入左半部４Ａと導入右半部４Ｂとが互いに左右方向に開離すると共に捕捉左半部３Ａと捕捉右半部３Ｂも左右方向に開離する。この際、ストッパー制御用部１６がストッパー１３に係合すると共に前記捕捉左半部３Ａと捕捉右半部３Ｂの開離に伴って、ストッパー制御用部１６がストッパー１３を第二バネ１４のバネ力に抗して後退させるため、ロックピン１１の先端部は第一バネ９により略板状ベース８の他面に当接される。
【００４２】
そして、犯人の胴体が捕捉部３内に入って、導入左半部４Ａと導入右半部４Ｂ並びに捕捉左半部３Ａと捕捉右半部３Ｂが引張コイルバネ５のバネ力によって、再び閉じるときに、図１５〜図２０に示すように、板状ベース８の透孔１２内にロックピン１１の先端部が挿通されて略板状ベース８の一面８ａ側へ突出する結果、犯人が捕捉左半部３Ａと捕捉右半部３Ｂを手で握って左右方向に開けようとしても、ロックピン１１の先端部が左右部材６・７基部の板状部４４Ａ・４４Ｂの外側縁部に当接して捕捉左半部３Ａと捕捉右半部３Ｂの開離が阻止されるため、犯人の胴体は捕捉部３内に入ったままの状態となる。
【００４３】
一方、刺股１の使用後において、今後の使用に備える場合には、レバー１８の把持部１８ｂと柄部２の第一筒状部材３３ａとを手で握ってレバー１８を下方に下げることにより、レバー１８の先端部１８ａが上昇してＴ字状部材１７を押し上げる結果、これに伴って両ロックピン１１とストッパー係合用部１５が上昇し、ストッパー係合用部１５の下側にストッパー１３の先端部１３ｂが進入してロックピン１１が板状ベース８の透孔１２から外れた状態となるため、導入左半部４Ａと導入右半部４Ｂ並びに捕捉左半部３Ａと捕捉右半部３Ｂがそれぞれ左右方向に再び開離し得る状態となる。
【産業上の利用可能性】
【００４４】
本発明の刺股は、学校内へ進入した暴漢や民家等に進入した泥棒を取り押さえる場合等、種々の分野で利用することが期待できる。
【図面の簡単な説明】
【００４５】
【図１】使用可能な状態の刺股の正面図である。
【図２】同じく使用可能な状態の刺股の背面図である。
【図３】使用可能な状態における刺股の要部正面図である。
【図４】同じく使用可能な状態における刺股の要部背面図である。
【図５】使用可能な状態における刺股の要部斜視図である。
【図６】刺股におけるロックピン上昇状態を示す要部側面図である。
【図７】刺股における軸状柄部の連結構造を示す拡大断面図である。
【図８】板状ベース部上方におけるロックピン作動確認用板の取付構造を示す要部平面図である。
【図９】同じく板状ベース部上方におけるロックピン作動確認用板の取付構造を示す要部正面図である。
【図１０】捕捉部が開離した状態の刺股の正面図である。
【図１１】同じく捕捉部が開離した状態の刺股の背面図である。
【図１２】捕捉部が開離した状態における刺股の要部正面図である。
【図１３】同じく捕捉部が開離した状態における刺股の要部背面図である。
【図１４】捕捉部が開離した状態における刺股の要部斜視図である。
【図１５】捕捉部が閉止した状態の刺股の正面図である。
【図１６】同じく捕捉部が閉止した状態の刺股の背面図である。
【図１７】捕捉部が閉止した状態における刺股の要部正面図である。
【図１８】同じく捕捉部が閉止した状態における刺股の要部背面図である。
【図１９】捕捉部が閉止した状態における刺股の要部斜視図である。
【図２０】刺股におけるロックピン下降状態を示す要部側面図である。
【符号の説明】
【００４６】
１  刺股
２  柄部
３  捕捉部
３Ａ  捕捉左半部
３Ｂ  捕捉右半部
４  導入部
４Ａ  導入左半部
４Ｂ  導入右半部
５  引張コイルバネ
６  左側部材
７  右側部材
８  板状ベース部
９  第一バネ
１１  ロックピン
１２  透孔
１３  ストッパー
１４  第二バネ
１５  ストッパー係合用部
１６  ストッパー制御用部
【図１】
2005326105.tif 000003
【図２】
2005326105.tif 000004
【図３】
2005326105.tif 000005
【図４】
2005326105.tif 000006
【図５】
2005326105.tif 000007
【図６】
2005326105.tif 000008
【図７】
2005326105.tif 000009
【図８】
2005326105.tif 000010
【図９】
2005326105.tif 000011
【図１０】
2005326105.tif 000012
【図１１】
2005326105.tif 000013
【図１２】
2005326105.tif 000014
【図１３】
2005326105.tif 000015
【図１４】
2005326105.tif 000016
【図１５】
2005326105.tif 000017
【図１６】
2005326105.tif 000018
【図１７】
2005326105.tif 000019
【図１８】
2005326105.tif 000020
【図１９】
2005326105.tif 000021
【図２０】
2005326105.tif 000022